(57)【要約】      （修正有）【課題】四柱推命の命式作成において行う通変星と十干との関係を特定する作業を迅速に行うことができ、通変星と十干との対応関係を一覧することができる、通変早見盤を提供する。【解決手段】通変早見盤は、第一の平板が、半径ｒの第一の円周上に、十干を表す文字が等間隔で配置される第一の十干表示部と、半径ｒ’で、第一の円の同心円である第二の円周上に、十干を表す文字が等間隔、かつ、五行同一・異陰陽の文字が半径方向に揃うように配置される第二の十干表示部と、を有し、第二の平板が、半径ｒの第三の円周上に、日干と陰陽が同じ通変星に対応する開口部が等間隔で配置される第一の窓部と、半径ｒ’で、第三の円の同心円である第四の円周上に、日干と陰陽が異なる通変星に対応する開口部が等間隔、かつ、開口部が半径方向に揃うように配置される第二の窓部と、を有する。【選択図】図３
2015038706.tif 000002
【特許請求の範囲】
【請求項１】
第一の平板と該第一の平板の上に設置する第二の平板とを備える通変早見盤であって、
前記第一の平板が、
第一の半径を有する第一の円の円周に沿って、十干を表す文字が等間隔で配置される第一の十干表示部と、
前記第一の半径と異なる第二の半径を有し前記第一の円の同心円である第二の円の円周に沿って、前記十干を表す文字が等間隔、かつ、陰陽五行説において五行が同一であり陰陽の異なる文字が半径方向に揃うように配置される第二の十干表示部と、を有し、
前記第二の平板が、
前記第一の半径を有する第三の円の円周に沿って、陰陽五行説において日干と陰陽が同じ通変星それぞれに対応する開口部が等間隔で配置される第一の窓部と、
前記第二の半径を有し前記第三の円の同心円である第四の円の円周に沿って、陰陽五行説において日干と陰陽が異なる通変星それぞれに対応する開口部が等間隔、かつ、内外の開口部が半径方向に揃うように配置される第二の窓部と、を有することを特徴とする通変早見盤。
【請求項２】
前記第一の十干表示部において、前記十干を表す文字が「甲」、「乙」、「丙」、「丁」、「戊」、「己」、「庚」、「辛」、「壬」及び「癸」の順に配置され、
前記第一の窓部において、「比肩」、「食神」、「偏財」、「偏官」及び「偏印」の順で対応する開口部が配置され、
前記第二の窓部において、「劫財」、「偏官」、「正財」、「正官」及び「印綬」の順で対応する開口部が、前記「比肩」に対応する開口部と前記「劫財」に対応する開口部とが半径方向に揃うように配置されることを特徴とする請求項１に記載の通変早見盤。
【請求項３】
前記第一の円及び前記第三の円の中心が上下方向に一致していることを特徴とする請求項１又は２に記載の通変早見盤。
【発明の詳細な説明】
【技術分野】
【０００１】
四柱推命において、各通変星に対応する十干を一覧可能な早見盤の技術に関する。
【背景技術】
【０００２】
四柱推命とは、中国で陰陽五行説を元にして生まれ、十干十二支を用いて人の運命や運勢のほか性格や適職や相性などを判断する際に用いられている方法である。より具体的には、四柱推命は、対象者の生まれた年、月、日、時の四つ干支を柱とし、その人の生まれ持った可能性を推し量るものである。従って、四柱推命で人の運勢を占う際、占う人の出生データを基に、命式と呼ばれる図式を作成しなければならず、その作成作業は煩雑なものとなる。
【０００３】
一方、四柱推命をはじめとする占いにおいては、多くの情報を迅速に処理する必要があるため、実務的には早見表が利用される。また、特許文献１乃至１１で示すように、占いにおいて使用する早見表の類の開発は盛んに行われている。
【先行技術文献】
【特許文献】
【０００４】
【特許文献１】実開平７−１２１８８号公報
【特許文献２】特開２００７−２３３７８９号公報
【特許文献３】特開２００８−１８１５８号公報
【特許文献４】実登３０３４９７２号公報
【特許文献５】実開平７−３６２１６号公報
【特許文献６】実開昭６３−２００４８６号公報
【特許文献７】実開昭６０−１１６５２４号公報
【特許文献８】実開昭５６−４２２９０号公報
【特許文献９】実開昭５４−１６０２８５号公報
【特許文献１０】特開昭５４−１１４３号公報
【特許文献１１】実開昭４９−１６０８６号公報
【発明の概要】
【発明が解決しようとする課題】
【０００５】
しかしながら、上記従来技術においては、四柱推命の命式作成において行う、１０種類の通変星と十干との関係を特定する作業に対応していないという問題点があった。
【０００６】
そこで本発明では、上記問題点に鑑み、四柱推命の命式作成において行う、１０種類の通変星と十干との関係を特定する作業を迅速に行うことができると共に、通変星と十干との対応関係を一覧可能な通変早見盤を提供することを目的とする。
【課題を解決するための手段】
【０００７】
開示する通変早見盤の一形態は、第一の平板と該第一の平板の上に設置する第二の平板とを備える通変早見盤であって、前記第一の平板が、第一の半径を有する第一の円の円周に沿って、十干を表す文字が等間隔で配置される第一の十干表示部と、前記第一の半径と異なる第二の半径を有し前記第一の円の同心円である第二の円の円周に沿って、前記十干を表す文字が等間隔、かつ、陰陽五行説において五行が同一であり陰陽の異なる文字が半径方向に揃うように配置される第二の十干表示部と、を有し、前記第二の平板が、前記第一の半径を有する第三の円の円周に沿って、陰陽五行説において日干と陰陽が同じ通変星それぞれに対応する開口部が等間隔で配置される第一の窓部と、前記第二の半径を有し前記第三の円の同心円である第四の円の円周に沿って、陰陽五行説において日干と陰陽が異なる通変星それぞれに対応する開口部が等間隔、かつ、内外の開口部が半径方向に揃うように配置される第二の窓部と、を有することを特徴とする。
【０００８】
また、開示する通変早見盤の一形態は、上記構成に加え、前記第一の十干表示部において、前記十干を表す文字が「甲」、「乙」、「丙」、「丁」、「戊」、「己」、「庚」、「辛」、「壬」及び「癸」の順に配置され、前記第一の窓部において、「比肩」、「食神」、「偏財」、「偏官」及び「偏印」の順で対応する開口部が配置され、前記第二の窓部において、「劫財」、「偏官」、「正財」、「正官」及び「印綬」の順で対応する開口部が、前記「比肩」に対応する開口部と前記「劫財」に対応する開口部とが半径方向に揃うように配置されることを特徴とする。
また、開示する通変早見盤の一形態は、上記構成に加え、前記第一の円及び前記第三の円の中心が上下方向に一致していることを特徴とする。
【発明の効果】
【０００９】
開示する通変早見盤は、四柱推命の命式作成において行う、１０種類の通変星と十干との関係を特定する作業を迅速に行うことができると共に、通変星と十干との対応関係を一覧することができる。
【図面の簡単な説明】
【００１０】
【図１】本実施の形態に係る第一の平板の一例を示す図である。
【図２】本実施の形態に係る第二の平板の一例を示す図である。
【図３】本実施の形態に係る通変早見盤の使用方法を説明する図（その１）である。
【図４】本実施の形態に係る通変早見盤の使用方法を説明する図（その２）である。
【発明を実施するための形態】
【００１１】
図面を参照しながら、本発明を実施するための形態について説明する。
（本実施の形態に係る通変早見盤の構造）
【００１２】
図１及び２を用いて、本実施の形態に係る通変早見盤１の構造について説明する。図１は、第一の平板２の平面図であり、図２は、第二の平板８の平面図である。なお、通変早見盤１は、第一の平板２、第二の平板８を有し、第一の平板２の上に第二の平板８を重ねて配置する構成である。
【００１３】
図１で示すように、第一の平板２は、第一の十干表示部４、第二の十干表示部６を有する。第一の十干表示部４は、半径が第一の半径ｒである第一の円１６の円周１８に沿って、十干を表す文字を順に等間隔で配置する。図１で示すように、第一の十干表示部４においては、十干を表す文字「甲」、「乙」、「丙」、「丁」、「戊」、「己」、「庚」、「辛」、「壬」及び「癸」がこの順番に配置される。
【００１４】
図１で示すように、第二の十干表示部６は、半径が第二の半径ｒ’（図１ではｒ＞ｒ’の条件で図示しているが、ｒ＜ｒ’であっても良い。）である第二の円２２の円周２４に沿って、十干を表す文字を所定の規則に基づき配置する。なお、第一の円１６と第二の円２２は同心円である。より具体的には、図１で示すように、第二の十干表示部６においては、円周１８上の十干を表す文字について陰陽五行説における五行が同一であり陰陽が異なる十干の要素を、円４、６の半径方向に揃うように配置する。つまり、図１で示すようにｒ＞ｒ’の場合、円周１８上の「甲」、「乙」、「丙」、「丁」、「戊」、「己」、「庚」、「辛」、「壬」及び「癸」の内側には、それぞれ「乙」、「甲」、「丁」、「丙」、「己」、「戊」、「辛」、「庚」、「癸」及び「壬」が配置される。なお、ｒ＜ｒ’の場合は、内外の各要素が入れ替わる。
【００１５】
図２で示すように、第二の平板８は、第一の窓部１０、第二の窓部１２を有する。第一の窓部１０は、半径が第一の半径ｒである第三の円２８の円周３０に沿って、陰陽五行説において日干と陰陽が同じ通変星に対応する開口部１４を順に等間隔で配置する。ここで、開口部１４は、各開口部１４の周囲に１つの通変星の名称を配置するなどして、個々の開口部１４に１つずつ通変星が割り当てられる。なお、図２で示すように、第一の窓部１０においては、陰陽五行説において日干と陰陽が同じ通変星「比肩」、「食神」、「偏財」、「偏官」及び「偏印」がこの順番に配置される。
【００１６】
図２で示すように、第二の窓部１２は、半径が第二の半径ｒ’である第四の円３２の円周３４に沿って、陰陽五行説において日干と陰陽が異なる通変星に対応する開口部１４を所定の規則に基づき配置する。ここでも、開口部１４は、各開口部１４の周囲に１つの通変星の名称を配置するなどして、個々の開口部１４に１つずつ通変星が割り当てられる。なお、第三の円２８と第四の円３０は同心円である。
【００１７】
より具体的には、図２で示すようにｒ＞ｒ’の場合、第二の窓部１２においては、通変星「比肩」、「食神」、「偏財」、「偏官」及び「偏印」に対応する開口部１４の内側には、それぞれ「劫財」、「傷官」、「正財」、「正官」及び「印綬」に対応する開口部１４が配置される。なお、ｒ＜ｒ’の場合は、内外の各要素が入れ替わる。
【００１８】
また、円１６、２２の中心と円２８、３２の中心とは、第一の平板２と第二の平板８とを重ねた場合、上下方向で一致する。つまり、第一の窓部１０及び第二の窓部１２の各開口部１４から、第一の十干表示部４及び第二の十干表示部６に配置された十干を表す文字を見ることができる。
【００１９】
なお、十干は、五行、即ち、木、火、土、金、水のそれぞれに対して、陽（兄）と陰（弟）とを組み合わせて、木の陽として甲（きのえ）、木の陰として乙（きのと）、火の陽として丙（ひのえ）、火の陰として丁（ひのと）、土の陽として戊（つちのえ）、土の陰として己（つちのと）、金の陽として庚（かのえ）、金の陰として辛（かのと）、水の陽として壬（みずのえ）、水の陰として癸（みずのと）を各要素として有している。
【００２０】
また、通変星の比肩は、日干と同じ五行で、陰陽が同じもの、劫財は、日干と同じ五行で、陰陽が違うもの、食神（しょくじん）は、日干が生じる五行で、陰陽が同じもの、傷官は、日干が生じる五行で、陰陽が違うもの、偏財は、日干が剋す五行で、陰陽が同じもの、正財は、日干が剋す五行で、陰陽が違うもの、偏官は、日干が剋される五行で、陰陽が同じもの、正官は、日干が剋される五行で、陰陽が違うもの、偏印は、日干が生じられる五行で、陰陽が同じもの、印綬（いんじゅ）は、日干が生じられる五行で、陰陽が違うものである。
（本実施の形態に係る通変早見盤の使用方法）
【００２１】
図３及び４を用いて、本実施の形態に係る通変早見盤１の使用方法について説明する。図３及び４は、第一の平板２の上に第二の平板８を重ねた状態の通変早見盤１の平面図であり、また、図３は日干が「庚」である場合における通変早見盤１の使用状態を示し、図４は日干が「壬」である場合における通変早見盤１の使用状態を示している。
【００２２】
ここで、四柱推命は、占う人３８の生まれた年、月、日、時、の四つ干支を「柱」とし、その人３８の生まれ持った可能性を推し量るものであり、各要素の「柱」を「年柱」、「月柱」、「日柱」、「時柱」という。また、それぞれの「柱」に該当する十干を天干、十二支を地支といい、「年柱」の天干を年干、「月柱」の地支を月支という。そして四柱推命においては、日干を中心として、他の天干及び地支が日干に対してどのような影響を及ぼしているかを統観し、それをもとに具体的な事象を推察するものである。
なお、通変早見盤１は、四柱推命の命式作成において、１０種類の通変星と十干との関係を特定するために使用する器具である。
【００２３】
通変早見盤１の使用者３６は、どの様な方法を使用しても良いので、四柱推命で占う人３８の「年柱」、「月柱」、「日柱」、「時柱」を特定し（排し）、「日柱」の十干である「日干」を特定する。
【００２４】
次に、使用者３６は、第一の窓部１０における通変星「比肩」に対応する開口部１４から、第一の十干表示部４に配置される先に特定した「日干」が見えるように、第一の平板２の上に第二の平板８を重ね合わせる。第一の平板２の上に第二の平板８を重ね合わせたとき、円１６、２２の中心と円２８、３２の中心とは上下方向で一致している。
【００２５】
例えば、図３では「日干」が「庚」である場合を示しているが、この場合は、「比肩星」に対応する開口部１４から第一の十干表示部４に配置される「庚」が見えるように、第一の平板２の上に第二の平板８を重ね合わせる。そうすると、「劫財星」に対応する開口部１４から第二の十干表示部６に配置される「辛」が見え、「食神星」に対応する開口部１４から第一の十干表示部４に配置される「壬」が見える。その他の要素についても、各通変星に対応する開口部１４から十干表示部４、６に配置される十干が見える。このように、通変早見盤１では、各開口部１４に割り当てられた通変星と各開口部１４から見える十干とが対応していることを示している。
【００２６】
例えば、図４では「日干」が「壬」である場合を示しているが、この場合は、「比肩星」に対応する開口部１４から第一の十干表示部４に配置される「壬」が見えるように、第一の平板２の上に第二の平板８を重ね合わせる。そうすると、「劫財星」に対応する開口部１４から第二の十干表示部６に配置される「癸」が見え、「食神星」に対応する開口部１４から第一の十干表示部４に配置される「甲」が見える。その他の要素についても、各通変星に対応する開口部１４から十干表示部４、６に配置される十干が見える。このように、通変早見盤１では、各開口部１４に割り当てられた通変星と各開口部１４から見える十干とが対応していることを示している。
【００２７】
このように、通変早見盤１を使用すると、四柱推命の命式作成において行う、１０種類の通変星と十干との関係を特定する作業を迅速に行うことができると共に、通変星と十干との対応関係を一覧することができる。
【００２８】
以上、本発明の実施の形態について詳述したが、本発明は係る特定の実施の形態に限定されるものではなく、特許請求の範囲に記載された本発明の要旨の範囲において、種々の変形・変更が可能である。
（付記１）
第一の平板と該第一の平板の上に設置する第二の平板とを含む通変早見盤であって、
【００２９】
前記第一の平板上に、第一の半径を有する第一の円の円周に沿って、十干を表す文字が「甲」、「乙」、「丙」、「丁」、「戊」、「己」、「庚」、「辛」、「壬」及び「癸」の順に等間隔で配置され、かつ、前記第一の半径よりも小さい第二の半径を有し、前記第一の円と同心円である第二の円の円周に沿って、前記十干を表す文字が等間隔、かつ、陰陽五行説において五行が同一であり陰陽の異なる文字が半径方向に揃うように配置され、
【００３０】
前記第二の平板上に、前記第一の半径を有する第三の円の円周に沿って、通変星が「比肩」、「食神」、「偏財」、「偏官」及び「偏印」の順でそれぞれに対応する開口部が等間隔で配置され、前記第二の半径を有し、前記第三の円と同心円である第四の円の円周に沿って、通変星が「劫財」、「偏官」、「正財」、「正官」及び「印綬」の順でそれぞれに対応する開口部が等間隔、かつ、前記「比肩」に対応する開口部と前記「劫財」に対応する開口部とが半径方向に揃うように配置され、
前記第一の円及び前記第三の円の中心が上下方向に一致していることを特徴とする通変早見盤。
【符号の説明】
【００３１】
１    通変早見盤
２    第一の平板
４    第一の十干表示部
６    第二の十干表示部
８    第二の平板
１０  第一の窓部
１２  第二の窓部
１４  開口部
１６  第一の円
１８  第一の円の円周
２２  第二の円
２４  第二の円の円周
２８  第三の円
３０  第三の円の円周
３２  第四の円
３４  第四の円の円周
３６  通変早見盤１の使用者
３８  四柱推命で占ってもらう者
ｒ    第一の半径
ｒ’  第二の半径
【図１】
2015038706.tif 000003
【図２】
2015038706.tif 000004
【図３】
2015038706.tif 000005
【図４】
2015038706.tif 000006